(57)【要約】【課題】内容物収納容器への内容物の詰め替えをスムーズに行うことが可能な、注出口付き容器と内容物収納容器との組合体、および注出口付き容器を提供する。【解決手段】注出口付き容器２０と内容物収納容器５０との組合体１０は、容器本体２１と、容器本体２１に設けられた注出口３０とを有する注出口付き容器２０と、振出開口５２を有する内容物収納容器５０と、を備えている。内容物収納容器５０の振出開口５２に、注出口付き容器２０の注出口３０が嵌合可能となっている。容器本体２１内に収容された内容物Ｃを内容物収納容器５０に詰め替え可能となっている。【選択図】図１
2019064667.tif 000002
【特許請求の範囲】
【請求項１】
容器本体と、前記容器本体に設けられた注出口とを有する注出口付き容器と、
振出開口を有する内容物収納容器と、を備え、
前記内容物収納容器の前記振出開口に、前記注出口付き容器の前記注出口が嵌合可能となっており、前記容器本体内に収容された内容物を前記内容物収納容器に詰め替え可能となっている、注出口付き容器と内容物収納容器との組合体。
【請求項２】
前記注出口は、前記振出開口に嵌合可能な筒部と、前記筒部に連設されたフランジ部と、前記フランジ部に連設されるとともに前記容器本体に取り付けられた容器取付部とを有する、請求項１記載の組合体。
【請求項３】
前記注出口は、前記筒部に対して破断可能に設けられた蓋部を有する、請求項１又は２記載の組合体。
【請求項４】
前記蓋部は、前記筒部に対してリクローズ可能となっている、請求項３記載の組合体。
【請求項５】
前記筒部は、前記フランジ部から先端に向けて徐々に先細となっている中央開口を有する、請求項２記載の組合体。
【請求項６】
前記内容物収納容器は、前記内容物を収容する収容空間を有する収納容器本体と、前記収納容器本体に設けられた前記振出開口とを有し、前記注出口が前記振出開口の内側に嵌合する、請求項１乃至５のいずれか一項記載の組合体。
【請求項７】
内容物を収容するとともに、前記内容物を、振出開口を有する内容物収納容器に詰め替え可能となっている、注出口付き容器であって、
容器本体と、
前記容器本体に設けられた注出口とを備え、
前記内容物収納容器の前記振出開口に、前記注出口付き容器の前記注出口が嵌合可能となっており、前記容器本体内に収容された内容物を前記内容物収納容器に詰め替え可能となっている、注出口付き容器。
【発明の詳細な説明】
【技術分野】
【０００１】
本発明は、注出口付き容器と内容物収納容器との組合体、および注出口付き容器に関する。
【背景技術】
【０００２】
従来、小型のタブレット等の内容物を収容して携帯する、プラスチック製のタブレット容器が知られている（例えば特許文献１参照）。
【０００３】
このようなタブレット容器においては、タブレット容器本体の上面に、小さい振出開口と、振出開口よりも大きい摘み出し開口とが設けられている。そして、通常時は振出開口からタブレットをタブレット容器の外部へ振り出す一方、タブレット容器にタブレットを詰め替える際には、摘み出し開口からタブレットを収容するようになっている。
【先行技術文献】
【特許文献】
【０００４】
【特許文献１】特開２００７−２３８１２８号公報
【発明の概要】
【発明が解決しようとする課題】
【０００５】
しかしながら、従来のタブレット容器においては、振出開口とは別に詰め替え用の大きな開口が必要になり、また、タブレット容器本体への内容物の詰め替えがスムーズに行うことが難しいという問題がある。
【０００６】
本発明はこのような点を考慮してなされたものであり、内容物収納容器への内容物の詰め替えをスムーズに行うことが可能な、注出口付き容器と内容物収納容器との組合体、および注出口付き容器を提供することを目的とする。
【課題を解決するための手段】
【０００７】
本発明は、容器本体と、前記容器本体に設けられた注出口とを有する注出口付き容器と、振出開口を有する内容物収納容器と、を備え、前記内容物収納容器の前記振出開口に、前記注出口付き容器の前記注出口が嵌合可能となっており、前記容器本体内に収容された内容物を前記内容物収納容器に詰め替え可能となっている、注出口付き容器と内容物収納容器との組合体である。
【０００８】
本発明は、前記注出口は、前記振出開口に嵌合可能な筒部と、前記筒部に連設されたフランジ部と、前記フランジ部に連設されるとともに前記容器本体に取り付けられた容器取付部とを有する、組合体である。
【０００９】
本発明は、前記注出口は、前記筒部に対して破断可能に設けられた蓋部を有する、組合体である。
【００１０】
本発明は、前記蓋部は、前記筒部に対してリクローズ可能となっている、組合体である。
【００１１】
本発明は、前記筒部は、前記フランジ部から先端に向けて徐々に先細となっている中央開口を有する、組合体である。
【００１２】
本発明は、前記内容物収納容器は、前記内容物を収容する収容空間を有する収納容器本体と、前記収納容器本体に設けられた前記振出開口とを有し、前記注出口が前記振出開口の内側に嵌合する、組合体である。
【００１３】
本発明は、内容物を収容するとともに、前記内容物を、振出開口を有する内容物収納容器に詰め替え可能となっている、注出口付き容器であって、容器本体と、前記容器本体に設けられた注出口とを備え、前記内容物収納容器の前記振出開口に、前記注出口付き容器の前記注出口が嵌合可能となっており、前記容器本体内に収容された内容物を前記内容物収納容器に詰め替え可能となっている、注出口付き容器である。
【発明の効果】
【００１４】
本発明によれば、内容物収納容器への内容物の詰め替えをスムーズに行うことができる。
【図面の簡単な説明】
【００１５】
【図１】図１は、本実施の形態による注出口付き容器と内容物収納容器との組合体を示す図。
【図２】図２は、本実施の形態による注出口付き容器の注出口を示す斜視図。
【図３】図３は、本実施の形態による注出口付き容器の注出口を示す正面図。
【図４】図４は、本実施の形態による注出口付き容器の注出口を示す平面図。
【図５】図５は、注出口の蓋部を筒部に対してリクローズした状態を示す正面図。
【図６】図６は、内容物収納容器を示す斜視図。
【図７】図７は、注出口の蓋部を筒部から取り外した状態を示す正面図。
【図８】図８は、注出口付き容器の容器本体内に収容された内容物を内容物収納容器に詰め替えている状態を示す図。
【図９】図９は、変形例による注出口付き容器の注出口を示す図。
【発明を実施するための形態】
【００１６】
以下に、本発明による注出口付き容器と内容物収納容器との組合体の一実施の形態について、図１乃至図８を用いて説明する。図１乃至図８は、本発明の一実施の形態を示す図である。なお、本明細書中、「上」および「下」とは、それぞれ注出口付き容器２０を正立させた状態（図１）における上方および下方のことをいう。
【００１７】
図１に示すように、本実施の形態による組合体１０は、注出口付き容器２０と、内容物収納容器５０とを備えている。このうち注出口付き容器２０は、内容物Ｃを収容する容器本体２１と、容器本体２１に設けられた注出口３０とを有している。また、内容物収納容器５０は、内容物Ｃを収容する収容空間Ｓを有する収納容器本体５１と、収納容器本体５１に設けられた振出開口５２とを有している。この場合、内容物収納容器５０の振出開口５２に、注出口付き容器２０の注出口３０が嵌合可能となっており、容器本体２１内に収容された内容物Ｃを内容物収納容器５０に詰め替え可能となっている。
【００１８】
次に、図１を参照して注出口付き容器２０について説明する。
【００１９】
図１に示すように、注出口付き容器２０は、容器本体２１によって複数の内容物Ｃを収容するとともに、この収容された内容物Ｃを注出口３０によって内容物収納容器５０に詰め替えることが可能となっている。すなわち、通常、内容物Ｃは内容物収納容器５０に収容されて運搬され、必要に応じて内容物収納容器５０の振出開口５２から取出される。一方、内容物収納容器５０内の内容物Ｃが減った場合には、注出口付き容器２０から内容物収納容器５０に内容物Ｃを補給する。なお、このような内容物Ｃとしては、菓子等の食品や薬品等の、小型のタブレット（錠剤）を挙げることができる。この場合、内容物Ｃは円柱形状を有しているが、これに限らず、多角柱形状、楕円柱形状、球形状等としても良い。
【００２０】
注出口付き容器２０は、容器本体２１と、容器本体２１に取り付けられた注出口３０とを有している。このうち容器本体２１は、例えばパウチ等の包装袋からなっている。この容器本体２１は、正面側に位置する正面パネル２２と、背面側（正面パネル２２の反対側）に位置する背面パネル２３とを有している。正面パネル２２と背面パネル２３とは、正面視で互いに略同一の矩形形状を有している。また正面パネル２２と背面パネル２３とは、天縁部２１ａと、一対の側縁部２１ｂ、２１ｃと、底縁部２１ｄとにおいてそれぞれ互いにシールされている（四方シール包装袋）。注出口３０は、天縁部２１ａにおいて、正面パネル２２と背面パネル２３との間にシールされて接着されている。なお、容器本体２１を構成する包装袋としては、四方シール包装袋に限らず、ガゼット型包装袋、又はスタンディングパウチ型包装袋を用いてもよい。
【００２１】
次に、正面パネル２２および背面パネル２３の層構成について説明する。正面パネル２２および背面パネル２３は、少なくとも基材層とシーラント層とが積層された積層フィルムから構成されても良い。このうち基材層を構成する材料としては、ポリエチレンテレフタレート、ナイロン、ポリプロピレン等を用いることができる。また、シーラント層を構成する材料としては、ポリエチレンやポリプロピレン等を用いることができる。積層フィルムは、さらに印刷層、支持体、バリア層などが設けられていてもよい。支持体としては、基材層と同様のプラスチックや紙等を用いることができる。バリア層としては、アルミニウム箔などの金属箔や、アルミニウムなどの無機物や酸化珪素や酸化アルミニウムなどの無機酸化物等を用いることができる。
【００２２】
なお、正面パネル２２と背面パネル２３とは、一枚のフィルムで構成してもよく、二枚以上のフィルムで構成してもよい。また、正面パネル２２と背面パネル２３とは、不透明であってもよく、透明であっても良い。
【００２３】
次に、図２乃至図４により、注出口付き容器２０の注出口３０の構成について説明する。
【００２４】
図２乃至図４に示すように、注出口３０は、筒部３１と、フランジ部３２と、容器取付部３３と、蓋部３４とを有している。これら筒部３１、フランジ部３２、容器取付部３３、及び蓋部３４は、例えばポリエチレン等の合成樹脂により一体に成形されている。
【００２５】
筒部３１は、内容物収納容器５０の振出開口５２の内側に嵌合可能な形状を有している。すなわち筒部３１は、振出開口５２に嵌合可能となるよう、振出開口５２よりわずかに小さい形状を有する。具体的には、筒部３１は、平面視で略四角形形状の振出開口５２に対応する略四角形形状を有している。筒部３１の内側には、内容物Ｃが通過する中央開口３５が形成されている。この中央開口３５は、筒部３１から、フランジ部３２及び容器取付部３３の内側を通過しており、注出口３０の軸線Ａ方向に沿って延びている。この場合、中央開口３５は、平面視で略四角形形状を有している。
【００２６】
フランジ部３２は、筒部３１の下部（容器本体２１側端部）に連設されている。このフランジ部３２は、筒部３１から側方に延びる上側フランジ３６と、上側フランジ３６よりも下方（容器本体２１側）に位置する下側フランジ３７とを有している。上側フランジ３６及び下側フランジ３７は、それぞれ平面視略八角形形状を有している。この場合、下側フランジ３７は、容器本体２１の上端に接触する。また、上側フランジ３６は、筒部３１を振出開口５２に嵌合させた際に、収納容器本体５１の天面５３（図６）に当接するので、筒部３１が必要以上に収納容器本体５１の内部に進入しないようになっている。
【００２７】
容器取付部３３は、フランジ部３２の下端（容器本体２１側端部）に連設されるとともに、容器本体２１に例えば接着されることにより取り付けられている。この容器取付部３３は、平面視略六角形形状を有しており、その全体が容器本体２１内に収容されている。容器取付部３３は、中央開口３５が形成された中央筒部３８と、中央筒部３８からそれぞれ側方に向けて延びる一対の側部３９とを有している。側部３９には、それぞれ側方に向けてリブ４１が形成されている。
【００２８】
蓋部３４は、筒部３１の上端（容器本体２１の反対側端部）に連設されている。また蓋部３４は、筒部３１に対して破断線４４を介して破断可能に設けられている。この蓋部３４は、上板４２と、上板４２の下端に連接された延長部４３とを有している。また、破断線４４は、上板４２と筒部３１との間でその厚みが薄肉状に形成された部分であり、上板４２と筒部３１との間で全周にわたって形成されている。この破断線４４を設けたことにより、上板４２を筒部３１に対して捻った際に、破断線４４において注出口３０が容易に破断可能となっている。
【００２９】
上板４２は、平面視略四角形形状を有し、注出口３０の開封時に使用者に把持される。また上板４２からは、側方に向けて一対のタブ４５が突出している。また延長部４３は、平面視略四角形形状を有するとともに、上方側（上板４２側）から下方（破断線４４側）に向けて徐々にその断面が狭くなる形状を有している。この延長部４３は、蓋部３４を筒部３１から取り外した後、筒部３１に対して押し込んだ際に、中央開口３５の内側に嵌合するようになっている（図５参照）。すなわち、蓋部３４は、注出口３０の初期開封時に破断線４４において破断され、筒部３１から離脱する。一方、蓋部３４は、注出口３０を初期開封した後、筒部３１に対して嵌め込まれることにより、筒部３１をリクローズすることができるようになっている。
【００３０】
なお、本実施の形態において、注出口３０は容器本体２１と別体に構成されている場合を例にとって説明したが、これに限らず、注出口３０が容器本体２１と一体に形成されていてもよい。
【００３１】
次に、図６により、内容物収納容器５０の構成について説明する。
【００３２】
図６に示すように、内容物収納容器５０は、内容物Ｃを収容する収容空間Ｓを有する収納容器本体５１と、収納容器本体５１に設けられた振出開口５２とを有している。この内容物収納容器５０は、例えばＡＢＳ樹脂等の合成樹脂により形成されている。
【００３３】
収納容器本体５１は、全体として直方体形状を有しており、天面５３と、天面５３に連接する４つの側面５４と、４つの側面５４に連接する底面５５とを有している。このうち天面５３には、上述した振出開口５２が１つ形成されている。振出開口５２は、収納容器本体５１内から内容物Ｃを振り出して取出す際に用いられる開口である。また、振出開口５２は、収納容器本体５１に内容物Ｃを詰め替える際、注出口付き容器２０から内容物Ｃを投入する際に用いられる開口も兼ねている。このため、本実施の形態によれば、収納容器本体５１に、振出開口５２とは別の詰め替え用の開口を設ける必要がない。これにより、収納容器本体５１の形状を簡単に構成することができるとともに、天面５３の面積を必要以上に大きくする必要がない。
【００３４】
振出開口５２には、振出開口５２に対して開閉自在な開閉蓋５６が設けられている。この開閉蓋５６は、通常時は振出開口５２を閉鎖しておくとともに、内容物Ｃの出し入れを行う際、振出開口５２を開放することができるようになっている。この場合、開閉蓋５６は、振出開口５２に対してヒンジ状に開閉するようになっているが、これに限らず、振出開口５２に対してスライド式に開閉するようになっていても良い。
【００３５】
次に、このような構成からなる本実施の形態について説明する。具体的には、注出口付き容器２０から内容物収納容器５０内へ内容物Ｃを詰め替える際の作用について説明する。
【００３６】
まず、注出口付き容器２０の注出口３０を初期開封する（図７参照）。この場合、注出口３０の蓋部３４を筒部３１に対して捻るとともに、蓋部３４を筒部３１から引き上げる。これにより、注出口３０が破断線４４の部分で破断し、蓋部３４が筒部３１から取り外される。
【００３７】
次に、注出口３０の筒部３１を、内容物収納容器５０の振出開口５２の内側に嵌合させる（図８参照）。この場合、注出口３０の筒部３１は、振出開口５２よりもわずかに小さい形状を有するので、筒部３１が振出開口５２に隙間なく嵌め込まれる。また、フランジ部３２が内容物収納容器５０の収納容器本体５１に当接するので、筒部３１が振出開口５２に対して真っ直ぐに嵌め込まれる。
【００３８】
続いて、注出口付き容器２０の容器本体２１内に収容された内容物Ｃを、内容物収納容器５０の収納容器本体５１内に詰め込む。このとき、容器本体２１内の内容物Ｃが自重で落下して収納容器本体５１内に順次収容される。このようにして、容器本体２１内の内容物Ｃが適当な量だけ収納容器本体５１内に収容された後、注出口３０の筒部３１を内容物収納容器５０の振出開口５２から取り外す。その後、必要に応じて、蓋部３４を筒部３１に対して嵌め込むことにより、筒部３１をリクローズすることができる（図５参照）。
【００３９】
このように本実施の形態によれば、内容物収納容器５０の振出開口５２に注出口付き容器２０の注出口３０が嵌合可能となっており、容器本体２１内に収容された内容物Ｃを内容物収納容器５０に詰め替え可能となっている。この場合、注出口３０が内容物収納容器５０にしっかりと保持され、内容物Ｃが内容物収納容器５０の外にこぼれ出ることがないので、容器本体２１から内容物収納容器５０へ内容物Ｃをスムーズに詰め替えることができる。また、内容物収納容器５０に、振出開口５２とは別の詰め替え用の開口を設ける必要がないので、内容物収納容器５０の構造を簡単にするとともに、内容物収納容器５０をコンパクトに構成することができる。
【００４０】
また本実施の形態によれば、注出口３０は、振出開口５２に嵌合可能な筒部３１と、筒部３１に連設されたフランジ部３２と、フランジ部３２に連設されるとともに容器本体２１に取り付けられた容器取付部３３とを有する。この場合、筒部３１により、内容物Ｃを内容物収納容器５０にスムーズに詰め替えることができる。また、フランジ部３２により、注出口３０を内容物収納容器５０に安定して取り付けることができる。また、容器取付部３３が設けられていることにより、注出口３０を容器本体２１に容易に取り付けることができる。
【００４１】
また本実施の形態によれば、注出口３０は、筒部３１に対して破断可能に設けられた蓋部３４を有している。これにより、初期開封するまでは容器本体２１内を密閉しておくことができる。また蓋部３４は、筒部３１に対してリクローズ可能となっているので、初期開封後、容器本体２１を再度密閉し、容器本体２１内に異物等が侵入することを防止することができる。
【００４２】
さらに本実施の形態によれば、内容物収納容器５０は、内容物Ｃを収容する収容空間Ｓを有する収納容器本体５１と、収納容器本体５１に設けられた振出開口５２とを有し、注出口３０が振出開口５２の内側に嵌合する。これにより、注出口３０が振出開口５２と密着するので、内容物Ｃが収納容器本体５１の外にこぼれないようにすることができる。
【００４３】
変形例
次に、図９により本実施の形態の変形例について説明する。図９に示す変形例は、注出口３０の構成が異なるものであり、他の構成は上述した実施の形態と略同一である。図９において、図１乃至図８に示す実施の形態と同一部分には同一の符号を付して詳細な説明は省略する。
【００４４】
図９に示すように、本変形例による注出口３０の中央開口３５は、フランジ部３２から先端側に向けて徐々に先細となっている。このように、本変形例によれば、筒部３１から収納容器本体５１内へ内容物Ｃをよりスムーズに詰め込むことができる。
【００４５】
本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。実施の形態および変形例に示される全構成要素から幾つかの構成要素を削除してもよい。
【符号の説明】
【００４６】
１０        組合体
２０        注出口付き容器
２１        容器本体
２２        正面パネル
２３        背面パネル
３０        注出口
３１        筒部
３２        フランジ部
３３        容器取付部
３４        蓋部
３５        中央開口
４４        破断線
５０        内容物収納容器
５１        収納容器本体
５２        振出開口
５６        開閉蓋
【図１】
2019064667.tif 000003
【図２】
2019064667.tif 000004
【図３】
2019064667.tif 000005
【図４】
2019064667.tif 000006
【図５】
2019064667.tif 000007
【図６】
2019064667.tif 000008
【図７】
2019064667.tif 000009
【図８】
2019064667.tif 000010
【図９】
2019064667.tif 000011